【手続補正書】
【提出日】平成16年6月17日(2004.6.17)
【手続補正１】
【補正対象書類名】明細書
【補正対象項目名】発明の名称
【補正方法】変更
【補正の内容】
【発明の名称】画像読取装置及び画像読取方法
【手続補正２】
【補正対象書類名】明細書
【補正対象項目名】特許請求の範囲
【補正方法】変更
【補正の内容】
【特許請求の範囲】
【請求項１】
原稿に光を照射する光源及び前記原稿から反射される光を所定方向に導く光学部材を有する移動自在なキャリッジと、
前記キャリッジの光学部材によって導かれてくる反射光を受光して前記原稿の画像を読取る画像読取手段と、
前記キャリッジの移動方向に直交する方向の両端部にそれぞれ掛け渡され、前記キャリッジを前記原稿に沿って移動させる第１及び第２の走行部材と、
前記第１及び第２の走行部材の一端部をそれぞれ固定端に固定する第１及び第２の固定ブラケットを有し、これら第１及び第２の固定ブラケットはその反固定端側に第１の折曲部を有するように断面Ｌ字状に形成され、前記固定端と前記第１の折曲部との間には長孔を有する第１及び第２の固定手段と、
前記第１及び第２の走行部材の他端部に張力を付与して前記キャリッジを移動させることにより、その端面を基準部に当接させて傾きを調整する傾き調整手段と、
前記第１及び第２の固定ブラケットを取付けその長孔内に挿入される固定ネジによって固定保持する第１及び第２の調整ベースを有し、この第１及び第２の調整ベースはその端部に前記第１及び第２の固定ブラケットの第１の折曲部に離間対向する第２の折曲部を有するように断面Ｌ字状に形成され、前記第１及び第２の折曲部間には第１及び第２の調整ネジが螺挿されてなり、前記傾き調整手段による傾き調整時に前記キャリッジの端面が前記基準部に片当たりするときは、前記第１或いは第２の固定ブラケットの固定ネジを緩めて固定を解除してから前記第１或いは第２の調整ネジの操作により前記第１或いは第２の固定ブラケットを移動させて前記第１或いは第２の走行部材を移動させることにより、前記キャリッジの片当たりを修正する修正手段と、
を具備することを特徴とする画像読取装置。
【請求項２】
前記キャリッジは前記原稿に光を照射する光源を有する移動自在な第１のキャリッジと、前記原稿から反射される光を所定方向に導く光学部材を有する移動自在な第２のキャリッジとを有してなり、前記傾き調整手段による傾き調整時に前記第２のキャリッジの端面が前記基準部に片当たりするときは、その片当たりを修正することを特徴とする請求項１記載の画像読取装置。
【請求項３】
原稿に光を照射する光源及び前記原稿から反射される光を所定方向に導く光学部材を有する移動自在なキャリッジの移動方向に直交する方向の両端部にそれぞれ第１及び第２の走行部材を掛け渡し、前記第１及び第２の走行部材の走行により前記キャリッジを前記原稿に沿って移動させる移動工程と、
この移動工程により前記キャリッジの光学部材によって導かれてくる反射光を受光部で受光して前記原稿の画像を読取る読取工程と、
固定端を有するとともに反固定端側に第１の折曲部を有するように断面Ｌ字状に形成され、前記固定端と前記第１の折曲部との間には長孔を有する第１及び第２の固定ブラケットの前記固定端に前記第１及び第２の走行部材の一端部をそれぞれを固定する固定工程と、
前記第１及び第２の走行部材の他端部に張力を付与して前記キャリッジを移動させることにより、その端面を基準部に当接させて傾きを調整する傾き調整工程と、
一端側に第２の折曲部を有するように断面Ｌ字状に形成された第１及び第２の調整ベースに前記第１及び第２の固定ブラケットをその第１の折曲部が前記第２の折曲部に離間対向するように取付けてその長孔内に固定ネジを挿入することにより固定保持し、前記第１及び第２の折曲部間に第１及び第２の調整ネジを螺挿し、前記傾き調整工程による傾き調整時に前記キャリッジが前記基準部に片当たりするときは、前記第１或いは第２の固定ブラケットの固定ネジを緩めて固定を解除してから前記第１或いは第２の調整ネジの操作により前記第１或いは第２の固定ブラケットを移動させて前記第１或いは第２の走行部材を移動させることにより、前記キャリッジの片当たりを修正する修正工程と、
を具備することを特徴とする画像読取方法。
【請求項４】
前記キャリッジは前記原稿に光を照射する光源を有する移動自在な第１のキャリッジと、前記原稿から反射される光を所定方向に導く光学部材を有する移動自在な第２のキャリッジとを有してなり、前記傾き調整工程による傾き調整時に前記第２のキャリッジの端面が前記基準部に片当たりするときは、その片当たりを修正することを特徴とする請求項３記載の画像読取方法。
【手続補正３】
【補正対象書類名】明細書
【補正対象項目名】０００１
【補正方法】変更
【補正の内容】
【０００１】
【発明の属する技術分野】
本発明は、たとえば、電子写真複写機に備えられる画像読取装置及び画像読取方法に関する。
【手続補正４】
【補正対象書類名】明細書
【補正対象項目名】００２０
【補正方法】変更
【補正の内容】
【００２０】
【課題を解決するための手段】
上記課題を解決するため、請求項１記載のものは、原稿に光を照射する光源及び前記原稿から反射される光を所定方向に導く光学部材を有する移動自在なキャリッジと、前記キャリッジの光学部材によって導かれてくる反射光を受光して前記原稿の画像を読取る画像読取手段と、前記キャリッジの移動方向に直交する方向の両端部にそれぞれ掛け渡され、前記キャリッジを前記原稿に沿って移動させる第１及び第２の走行部材と、前記第１及び第２の走行部材の一端部をそれぞれ固定端に固定する第１及び第２の固定ブラケットを有し、これら第１及び第２の固定ブラケットはその反固定端側に第１の折曲部を有するように断面Ｌ字状に形成され、前記固定端と前記第１の折曲部との間には長孔を有する第１及び第２の固定手段と、前記第１及び第２の走行部材の他端部に張力を付与して前記キャリッジを移動させることにより、その端面を基準部に当接させて傾きを調整する傾き調整手段と、前記第１及び第２の固定ブラケットを取付けその長孔内に挿入される固定ネジによって固定保持する第１及び第２の調整ベースを有し、この第１及び第２の調整ベースはその端部に前記第１及び第２の固定ブラケットの第１の折曲部に離間対向する第２の折曲部を有するように断面Ｌ字状に形成され、前記第１及び第２の折曲部間には第１及び第２の調整ネジが螺挿されてなり、前記傾き調整手段による傾き調整時に前記キャリッジの端面が前記基準部に片当たりするときは、前記第１或いは第２の固定ブラケットの固定ネジを緩めて固定を解除してから前記第１或いは第２の調整ネジの操作により前記第１或いは第２の固定ブラケットを移動させて前記第１或いは第２の走行部材を移動させることにより、前記キャリッジの片当たりを修正する修正手段とを具備する。
【手続補正５】
【補正対象書類名】明細書
【補正対象項目名】００２１
【補正方法】変更
【補正の内容】
【００２１】
請求項３記載のものは、原稿に光を照射する光源及び前記原稿から反射される光を所定方向に導く光学部材を有する移動自在なキャリッジの移動方向に直交する方向の両端部にそれぞれ第１及び第２の走行部材を掛け渡し、前記第１及び第２の走行部材の走行により前記キャリッジを前記原稿に沿って移動させる移動工程と、この移動工程により前記キャリッジの光学部材によって導かれてくる反射光を受光部で受光して前記原稿の画像を読取る読取工程と、固定端を有するとともに反固定端側に第１の折曲部を有するように断面Ｌ字状に形成され、前記固定端と前記第１の折曲部との間には長孔を有する第１及び第２の固定ブラケットの前記固定端に前記第１及び第２の走行部材の一端部をそれぞれを固定する固定工程と、前記第１及び第２の走行部材の他端部に張力を付与して前記キャリッジを移動させることにより、その端面を基準部に当接させて傾きを調整する傾き調整工程と、一端側に第２の折曲部を有するように断面Ｌ字状に形成された第１及び第２の調整ベースに前記第１及び第２の固定ブラケットをその第１の折曲部が前記第２の折曲部に離間対向するように取付けてその長孔内に固定ネジを挿入することにより固定保持し、前記第１及び第２の折曲部間に第１及び第２の調整ネジを螺挿し、前記傾き調整工程による傾き調整時に前記キャリッジが前記基準部に片当たりするときは、前記第１或いは第２の固定ブラケットの固定ネジを緩めて固定を解除してから前記第１或いは第２の調整ネジの操作により前記第１或いは第２の固定ブラケットを移動させて前記第１或いは第２の走行部材を移動させることにより、前記キャリッジの片当たりを修正する修正工程と、を具備する
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】符号の説明
【補正方法】変更
【補正の内容】
【符号の説明】
１Ａ…装置フレーム（基準部）
３…露光ランプ
５…第１のキャリッジ
７…第２のキャリッジ
６…第１のミラー
９…第２のミラー
１０…第３のミラー
１１…レンズ
１２…ＣＣＤセンサ
４２…駆動モータ
４３…モータプーリ
４４…モータベルト
４６，４８…駆動プーリ
４７…駆動シャフト
５０（５１）…駆動ベルト
５８…傾き調整手段
６１…傾き修正手段
６２…固定ブラケット
６２ａ…第１の折曲部
６２ｂ…長孔
６４…固定ネジ
６５…調整ベース
６５ａ…第２の折曲部
６６…調整ネジ
６８…ベルト固定ネジ
７１…錘